(57)【要約】【課題】固定ガラス障子の枠及び網戸の枠が観望面積に対して制限を与えることを避けること。【解決手段】本発明に係る障子アセンブリは、外枠、可動障子、固定障子及び通気障子を含む。外枠はレール構造及び立柱を含み、立柱はレール構造に配置され、内縮部を有する。可動障子はレール構造に可動的に結合し、レール構造に沿って移動して開閉する。固定障子は第１の内枠及び第１の光透過板を含み、第１の内枠は外枠に固定され、第１の光透過板は第１の内枠に配置され、第１の内枠の下枠部はレール構造によって遮蔽され、第１の光透過板の下端は第１の内枠の下枠部内に位置する。通気障子は外枠に配置され、内縮部に部分的に隠れる。【選択図】図２
2019183619.tif 000002
【特許請求の範囲】
【請求項１】
レール構造と、当該レール構造に配置され、内縮部を有する立柱とを含む外枠と、
当該レール構造に可動的に結合し、当該レール構造に沿って移動して開閉する可動障子と、
当該外枠に固定される第１の内枠と、当該第１の内枠に配置される第１の光透過板とを含み、当該第１の内枠の下枠部は当該レール構造によって遮蔽され、当該第１の光透過板の下端は当該第１の内枠の当該下枠部内に位置する固定障子と、
当該外枠に配置され、当該内縮部に部分的に隠れる通気障子と、を含むことを特徴とする障子アセンブリ。
【請求項２】
当該レール構造はレール部と凹み部とを含み、当該可動障子は当該レール部に可動的に結合し、当該凹み部は当該レール部に隣接し、当該第１の内枠の当該下枠部は当該凹み部内に配置され、当該凹み部は相対する上端及び下端を有し、当該凹み部の当該上端と当該レール構造の上面とは揃えられ、当該凹み部の当該上端から当該下端までの深度は当該第１の内枠の当該下枠部の高度以上である、ことを特徴とする請求項１に記載の障子アセンブリ。
【請求項３】
当該通気障子は第３の内枠と、通気ネットとを含み、当該通気ネットは当該第３の内枠に配置され、当該第３の内枠は当該外枠に配置され、当該第３の内枠の下枠部は少なくとも部分的に当該レール構造によって遮蔽される、ことを特徴とする請求項１に記載の障子アセンブリ。
【請求項４】
レール構造と、当該レール構造に配置され、内縮部を有する立柱とを含む外枠と、
当該外枠に固定される固定障子と、
当該レール構造に可動的に結合し、当該レール構造に沿って移動して開閉する可動障子と、
当該外枠に配置され、当該内縮部に部分的に隠れる通気障子と、を含むことを特徴とする障子アセンブリ。
【請求項５】
当該通気障子は第３の内枠と、通気ネットとを含み、当該通気ネットは当該第３の内枠に配置され、当該第３の内枠は当該外枠に配置され、当該内縮部内に部分的に隠れる、ことを特徴とする請求項１または４に記載の障子アセンブリ。
【請求項６】
当該第３の内枠の下枠部は当該レール構造に固定され、当該第３の内枠のサイド枠部は当該第３の内枠の当該下枠部に可動的に結合し、当該第３の内枠の当該下枠部に沿って移動して当該立柱から離れ、当該通気障子を開閉し、または当該第３の内枠の当該下枠部に沿って移動して少なくとも一部が当該内縮部内に隠れ、当該通気障子を開く、ことを特徴とする請求項５に記載の障子アセンブリ。
【請求項７】
当該第３の内枠の当該サイド枠部は通気障子操作部を有し、第２の内枠のサイド枠部は可動障子操作部を有し、当該通気障子が開いている時、当該通気障子操作部は当該内縮部の外に露出され、当該可動障子が閉まり、当該通気障子が開いている時、当該第２の内枠の当該サイド枠部は当該立柱に隣接し、当該第３の内枠の当該サイド枠部より当該可動障子操作部の少なくとも一部が露出する、ことを特徴とする請求項６に記載の障子アセンブリ。
【請求項８】
当該通気ネットは折り畳み可能な構造であり、当該通気障子が開いている時、当該通気ネットの少なくとも一部が当該第３の内枠の当該サイド枠部内に折り畳まれて収納され、当該内縮部内に位置する、ことを特徴とする請求項６に記載の障子アセンブリ。
【請求項９】
当該第３の内枠は固定部を含み、当該固定部は当該立柱に固定され、当該内縮部内に隠れ、当該通気ネットの相対する両端はそれぞれ当該固定部及び当該第３の内枠の当該サイド枠部に結合する、ことを特徴とする請求項６に記載の障子アセンブリ。
【請求項１０】
当該立柱は主柱体と構造強化柱体とを含み、当該構造強化柱体は当該主柱体内に配置され、当該内縮部は当該構造強化柱体に形成され、当該主柱体は開口端を有し、当該開口端によって当該内縮部を露出させる、ことを特徴とする請求項１または４に記載の障子アセンブリ。
【発明の詳細な説明】
【技術分野】
【０００１】
本発明は、障子アセンブリに関し、特にレール構造を有する障子アセンブリに関する。
【背景技術】
【０００２】
建築物には、通気及び採光のために、建築の際、壁の適切な位置に開口を残し、当該開口箇所に開閉可能な障子アセンブリが設けられている。引き戸の場合には、固定ガラス障子及び可動ガラス障子が前記開口箇所の外枠に配置され、固定ガラス障子に対して可動ガラス障子をレール構造に沿って移動させて開閉することができる。
【発明の概要】
【発明が解決しようとする課題】
【０００３】
一般的に、固定ガラス障子及び可動ガラス障子は、いずれも枠と、枠に配置されたガラス板とによって構成され、ユーザは障子アセンブリのガラス板を介して室外の環境を見ることができる。しかしながら、前記枠は一定の幅を有し、観望面積が制限される。一方、通常、可動ガラス障子の室外側には網戸が配置されるが、網戸の枠も前記観望面積に対して制限を与える。
【０００４】
固定ガラス障子の枠及び網戸の枠が観望面積に対して制限を与えることを避けるために、本発明はガラス板の占める面積比率を増加させることができる障子アセンブリを提供する。
【課題を解決するための手段】
【０００５】
本発明の障子アセンブリは、外枠と、可動障子（例えば、可動ガラス障子）と、固定障子（例えば、固定ガラス障子）と、通気障子（例えば、網戸）と、を含む。外枠は、レール構造と、レール構造に配置され、内縮部を有する立柱とを含む。可動障子は、レール構造に可動的に結合し、レール構造に沿って移動して開閉する。固定障子は、外枠に固定される第１の内枠と、第１の内枠に配置される第１の光透過板（例えば、ガラス板）とを含み、第１の内枠の下枠部はレール構造によって遮蔽され、第１の光透過板の下端は第１の内枠の下枠部内に位置する。通気障子は、外枠に配置され、内縮部に部分的に隠れる。
【０００６】
本発明の障子アセンブリは、外枠と、固定障子と、可動障子と、通気障子と、を含む。外枠は、レール構造と、レール構造に配置され、内縮部を有する立柱とを含む。固定障子は、外枠に固定される。可動障子は、レール構造に可動的に結合し、レール構造に沿って移動して開閉する。通気障子は、外枠に配置され、内縮部に部分的に隠れる。
【０００７】
上記のように、固定障子の第１の内枠の下枠部を、レール構造によって遮蔽されるように設けることにより、第１の内枠の下枠部がレール構造上方の観望領域を占拠しないようにすることができるため、固定障子の第１の光透過板が占める面積の比率が増加する。また、上記のように、通気障子を、立柱の内縮部内に部分的に隠れるように設けることにより、通気障子が立柱の内側の観望領域を過度に占拠しないようにすることができる。これにより、障子アセンブリの観望面積が比較的制限を受けなくなる。
【０００８】
本発明の一実施例において、上記のレール構造はレール部と凹み部とを含み、可動障子はレール部に可動的に結合し、凹み部はレール部に隣接し、第１の内枠の下枠部は凹み部内に配置される。凹み部の設計により、第１の内枠の下枠部をレール部より低い位置に位置させることができ、第１の内枠の下枠部をレール部によって遮蔽させることができる。さらに、凹み部は相対する上端及び下端を有し、凹み部の上端とレール構造の上端とは揃えられ、凹み部の上端から下端までの深度は第１の内枠の下枠部の高度以上である。これにより、第１の内枠の下枠部が凹み部から突出しないように確保できる。
【０００９】
本発明の一実施例において、上記の通気障子は第３の内枠と、通気ネットとを含み、通気ネットは第３の内枠に配置され、第３の内枠は外枠に配置され、内縮部内に部分的に隠れる。これにより、第３の内枠を立柱によって部分的に遮蔽させ、立柱の内側の観望領域を過度に占拠しないようにすることができる。
【００１０】
本発明の一実施例において、上記の第３の内枠の下枠部はレール構造に固定され、第３の内枠のサイド枠部は第３の内枠の下枠部に可動的に結合し、第３の内枠の下枠部に沿って移動して立柱から離れ、通気障子を開閉し、または第３の内枠の下枠部に沿って移動して少なくとも一部が内縮部内に隠れ、通気障子を開く。これにより、通気障子が開いている時、第３の内枠のサイド枠部は少なくとも一部が立柱によって遮蔽され、立柱の内側の観望領域を過度に占拠しなくなる。
【００１１】
本発明の一実施例において、上記の第３の内枠のサイド枠部は通気障子操作部を有し、第２の内枠のサイド枠部は可動障子操作部を有し、通気障子が開いている時、通気障子操作部は内縮部の外に露出され、可動障子が閉まり、通気障子が開いている時、第２の内枠のサイド枠部は立柱に隣接し、第３の内枠のサイド枠部より可動障子操作部の少なくとも一部が露出する。これにより、通気障子が開いている時、ユーザは通気障子操作部に力を加えて通気障子を閉じやすくなり、通気障子が開き、可動障子が閉まっている時、ユーザは可動障子操作部に力を加えて可動障子を開きやすくなる。
【００１２】
本発明の一実施例において、上記の通気ネットは折り畳み可能な構造であり、通気障子が開いている時、通気ネットの少なくとも一部が第３の内枠のサイド枠部内に折り畳まれて収納され、内縮部内に位置する。すなわち、立柱の内縮部は、通気ネット及び第３の内枠のサイド枠部を収納する機能を有する。
【００１３】
本発明の一実施例において、上記の第３の内枠は固定部を含み、固定部は立柱に固定され、内縮部内に隠れ、通気ネットの相対する両端はそれぞれ固定部及び第３の内枠のサイド枠部に結合する。すなわち、第３の内枠の固定部は、立柱の内縮部によって遮蔽され、立柱の内側の観望領域を過度に占拠しない。
【００１４】
本発明の一実施例において、上記の通気障子は、第３の内枠と通気ネットとを含み、通気ネットは第３の内枠に配置され、第３の内枠は外枠に配置され、第３の内枠の下枠部は少なくとも一部がレール構造によって遮蔽される。これにより、第３の内枠の下枠部がレール構造上方の観望領域を占拠しないようにする。
【００１５】
本発明の一実施例において、上記の立柱は主柱体と構造強化柱体とを含み、構造強化柱体は主柱体内に配置される。これにより、内縮部を有することに起因した立柱の構造強度低下を避けることができる。さらに、内縮部は構造強化柱体に形成され、主柱体は開口端を有し、開口端によって内縮部を露出させる。これにより、主柱体の開口端を介して内縮部に通気障子の一部を収納することができる。
【発明の効果】
【００１６】
上記のように、固定障子の第１の内枠の下枠部を、レール構造によって遮蔽されるように設けることにより、第１の内枠の下枠部がレール構造上方の観望領域を占拠しないようにすることができるため、固定障子の第１の光透過板が占める面積の比率が増加する。また、上記のように、通気障子を、立柱の内縮部内に部分的に隠れるように設けることにより、通気障子が立柱の内側の観望領域を過度に占拠しないようにすることができる。これにより、障子アセンブリの観望面積が比較的制限を受けなくなる。
【図面の簡単な説明】
【００１７】
【図１】本発明の一実施例に係る障子アセンブリの斜視図である。
【図２】図１の障子アセンブリのＡ−Ａ線に沿った断面図である。
【図３】図１の障子アセンブリのＢ−Ｂ線に沿った断面図である。
【図４】図１の障子アセンブリのＣ−Ｃ線に沿った断面図である。
【発明を実施するための形態】
【００１８】
本発明の上記特徴及びメリットをより明確に理解するため、以下に実施例を挙げ、図面と合わせて詳細に説明する。
【００１９】
図１は、本発明の一実施例に係る障子アセンブリの斜視図である。図１を参照すると、本実施例の障子アセンブリ１００は、外枠１１０と、可動障子１２０と、固定障子１３０とを含んでいる。外枠１１０は、例えばアルミ製枠である。固定障子１３０は、例えば固定ガラス障子であり、外枠１１０に固定されている。可動障子１２０は、例えば可動ガラス障子であり、外枠１１０に可動的に配置され、外枠１１０及び固定障子１３０に対して方向Ｄ１または方向Ｄ２に沿って移動することで、障子アセンブリ１００を開閉することができる（図１は閉状態を示す）。本実施例において、障子アセンブリ１００は、例えば室内環境Ｉと室外環境Ｏとの間に設けられている。
【００２０】
本実施例において、障子アセンブリ１００の固定障子１３０は別の固定障子１３０’と結合可能である。障子アセンブリ１００は、別の障子アセンブリ１００’とともに、コーナー建具構造を構成可能であるが、本発明はこれに限定されない。また、本実施例において、障子アセンブリ１００は通気障子をさらに含んでも良い。当該通気障子は例えば網戸であり、外枠１１０に可動的に配置され、図１の状態において可動障子１２０と重ねて設けられる。図をより明確にするために、図１では通気障子を省略し、以降の図において具体的に通気障子を示す。
【００２１】
図２は、図１の障子アセンブリのＡ−Ａ線に沿った断面図である。図３は、図１の障子アセンブリのＢ−Ｂ線に沿った断面図である。図１〜図３を参照すると、具体的には、本実施例の外枠１１０は、レール構造１１２と立柱１１４とを含んでいる。可動障子１２０は、レール構造１１２に可動的に結合し、レール構造１１２に沿って方向Ｄ１または方向Ｄ２に移動して開閉できる。通気障子１４０（図３に示す）は、外枠１１０のレール構造１１２に配置され、可動障子１２０の室外側に位置する。固定障子１３０は、第１の内枠１３２と第１の光透過板１３４とを含んでいる。第１の内枠１３２は例えばアルミ製枠であり、外枠１１０に固定されている。第１の光透過板１３４は、例えばガラス板であり、第１の内枠１３２に配置されている。第１の内枠１３２の下枠部１３２ａ（図２に示す）は、レール構造１１２によって遮蔽されている。第１の光透過板１３４の下端１３４ａ（図２に示す）は、第１の内枠１３２の下枠部１３２ａ内に位置する。具体的には、レール構造１１２は、図２に示すように、第１の内枠１３２の下枠部１３２ａの右側を遮っているため、図２の右から左に向かう方向から見ると、下枠部１３２ａはレール構造１１２によって遮蔽されている。
【００２２】
上記のように、固定障子１３０の第１の内枠１３２の下枠部１３２ａを、レール構造１１２に遮蔽されるように設けることで、第１の内枠１３２の下枠部１３２ａがレール構造１１２の上方の観望領域を占拠しないようにできるため、固定障子１３０の第１の光透過板１３４が占める面積の比率が増える。これにより、障子アセンブリ１００の観望面積が比較的制限されないようにできる。前記観望領域とは、例えば第１の光透過板１３４によって覆われ、他の非光透過構造が存在しない領域を指し、ユーザはこの領域を通して観望できる。
【００２３】
具体的には、レール構造１１２は、図２及び図３に示すように、レール部１１２ａと凹み部１１２ｂとを含んでいる。可動障子１２０はレール部１１２ａに可動的に結合し、凹み部１１２ｂはレール部１１２ａに隣接している。固定障子１３０における第１の内枠１３２の下枠部１３２ａは凹み部１１２ｂ内に配置されている。凹み部１１２ｂの設計により、第１の内枠１３２の下枠部１３２ａをレール部１１２ａより低い位置に位置させることができ、第１の内枠１３２の下枠部１３２ａをレール部１１２ａによって遮蔽することができる。さらに、凹み部１１２ｂは相対する上端１１２ｂ１と下端１１２ｂ２とを有している。上端１１２ｂ１とレール構造１１２の上面１１２ｅとは揃えられている。凹み部１１２ｂの上端１１２ｂ１から下端１１２ｂ２までの深度は、第１の内枠１３２の下枠部１３２ａの高度以上に設計することができる。これにより、第１の内枠１３２の下枠部１３２ａが凹み部１１２ｂから上に突出しないようにできる。
【００２４】
本実施例において、可動障子１２０は第２の内枠１２２と第２の光透過板１２４とを含んでいる。第２の内枠１２２は例えばアルミ製枠であり、車輪１２０ａ等の部材によりレール構造１１２のレール部１１２ａに可動的に結合している。第２の光透過板１２４は例えばガラス板であり、第２の内枠１２２に配置されている。車輪１２０ａは、例えば第２の内枠１２２に回転可能に結合し、レール部１１２ａ上に載せられている。このため、第２の内枠１２２は車輪１２０ａのレール部１１２ａに沿った転動に従って移動することができる。レール構造１１２の上面１１２ｅと同一面上に基準面Ｓを設定する。第２の光透過板１２４の下端１２４ａは基準面Ｓの上方に位置し、第１の光透過板１３４の下端１３４ａは基準面Ｓの下方に位置する。すなわち、第１の光透過板１３４の下端１３４ａはレール構造１１２の上端より低い位置に位置する。このため、水が外部から第１の光透過板１３４の下端１３４ａに滲出したとしても、第１の光透過板１３４の下端１３４ａに位置する水が上に向かってレール構造１１２の上端まで流れにくいため、外部の水の室内への浸入を避けることができる。本実施例において、前記基準面Ｓは例えば図１に示す室内環境Ｉ及び室外環境Ｏの床面であるが、本発明はこれに限定されない。
【００２５】
図２に示すように、本実施例の外枠１１０の底部は、排水口１１０ａを有する。これにより、排水口１１０ａを介してレール構造１１２における水を排出し、水の室内への浸入を避けることができる。また、外枠１１０の底部は、可動蓋１１０ｂを有していても良く、可動蓋１１０ｂは排水口１１０ａを覆って、室外の昆虫、動物、水またはその他の異物が室内に入ることを防止する。
【００２６】
詳細には、可動蓋１１０ｂは例えば室外方向にのみ開くことができるように設計されている。これにより、レール構造１１２における水が排水口１１０ａに向かう場合、可動蓋１１０ｂが流れてくる水によって室外側に押されて開き、水を室外に排出する。また、室外の昆虫、動物、水またはその他の異物が外枠１１０の外部から可動蓋１１０ｂを押した場合には、可動蓋１１０ｂは室内方向には開かないため、室外の昆虫、動物、水またはその他の異物が外枠１１０内に入ることを防止する効果を実現できる。
【００２７】
図４は、図１の障子アセンブリのＣ−Ｃ線に沿った断面図である。図１及び図４を参照すると、立柱１１４はレール構造１１２上に配置され、内縮部１１４ａ（図４に示す）を有している。通気障子１４０は内縮部１１４ａ内に部分的に隠れる。また、可動障子１２０が図４に示すように閉まっている場合、立柱１１４の側壁１１４ｃ１は第２の内枠１２２におけるサイド枠部１２２ｂの一部を遮り、第２の内枠１２２のサイド枠部１２２ｂが立柱１１４内に部分的に隠れるようにしている。これにより、可動障子１２０及び通気障子１４０は立柱１１４の内側の観望領域を過度に占拠することがなく、障子アセンブリ１００の観望面積が比較的制限されなくなる。前記観望領域とは、例えば第２の光透過板１２４に覆われ、その他の非光透過構造が存在しない領域を指し、ユーザはこの領域を通して観望できる。
【００２８】
具体的には、本実施例の通気障子１４０は第３の内枠１４２と通気ネット１４４とを含んでいる。通気ネット１４４は例えば網戸であり、第３の内枠１４２に配置されている。第３の内枠１４２は例えばアルミ製枠であり、外枠１１０（図１に示す）に配置され、立柱１１４の内縮部１１４ａ内に部分的に隠れる。より詳細には、第３の内枠１４２の下枠部１４２ａ（図３に示す）はレール構造１１２に固定され、第３の内枠１４２のサイド枠部１４２ｂ（図４に示す）は第３の内枠１４２の下枠部１４２ａに可動的に結合している。サイド枠部１４２ｂは、図１及び図４に示す方向Ｄ１で第３の内枠１４２の下枠部１４２ａに沿って移動して立柱１１４から離れ、通気障子１４０を閉めることができる。また、サイド枠部１４２ｂは、図１及び図４に示す方向Ｄ２で下枠部１４２ａに沿って移動して少なくとも一部が立柱１１４の内縮部１１４ａ内に隠れ、通気障子１４０を開くことができる。これにより、通気障子１４０が開いている場合には、第３の内枠１４２におけるサイド枠部１４２ｂの少なくとも一部が立柱１１４に遮蔽され、立柱１１４の内側の観望領域を占拠しなくなる。なお、図４において通気障子１４０は開状態として図示されている。
【００２９】
本実施例の通気ネット１４４は折り畳み可能な構造である。通気障子１４０が図４に示すように開いている場合、通気ネット１４４の少なくとも一部は第３の内枠１４２のサイド枠部１４２ｂ内に折り畳まれて収納され、立柱１１４の内縮部１１４ａ内に位置する。すなわち、立柱１１４の内縮部１１４ａは、通気ネット１４４及びサイド枠部１４２ｂを収納する機能を有している。また、本実施例の第３の内枠１４２は、固定部１４２ｃをさらに含み、固定部１４２ｃは立柱１１４に固定され、内縮部１１４ａ内に隠れる。通気ネット１４４の相対する両端は、それぞれ固定部１４２ｃ及び第３の内枠１４２のサイド枠部１４２ｂに結合し、サイド枠部１４２ｂの固定部１４２ｃに対する移動に伴って折り畳まれたり、展開されたりすることができる。第３の内枠１４２の固定部１４２ｃが立柱１１４の内縮部１１４ａによって遮蔽されるため、固定部１４２ｃが立柱１１４の内側の観望領域を占拠しない。
【００３０】
一方、第３の内枠１４２の下枠部１４２ａは、図３に示すように、少なくとも一部がレール構造１１２のレール部１１２ａによって遮蔽され、下枠部１４２ａがレール構造１１２の上方の観望領域を占拠しないようにできる。具体的には、レール構造１１２は、図３に示すように、第３の内枠１４２における下枠部１４２ａの右側を遮っているため、図３の右から左の方向から見ると、下枠部１４２ａはレール構造１１２によって遮蔽される。また、本実施例の障子アセンブリ１００と別の障子アセンブリ１００’とは、上記の通り、コーナー建具構造を構成し、障子アセンブリ１００の立柱１１４の内縮部１１４ａは別の障子アセンブリ１００’に重なる。この重なる設計により、前記コーナー建具構造の観望面積の比率を増加することができる。
【００３１】
図４を参照すると、本実施例において、通気障子１４０における第３の内枠１４２のサイド枠部１４２ｂは、通気障子操作部１４２ｂ１を有している。通気障子１４０が図４に示すように開状態である場合、通気障子操作部１４２ｂ１は立柱１１４の内縮部１１４ａの外に露出される。これにより、通気障子１４０が開いている場合、ユーザは通気障子操作部１４２ｂ１に力を加えて、通気障子１４０を閉めやすくなる。
【００３２】
同様に、本実施例において、可動障子１２０における第２の内枠１２２のサイド枠部１２２ｂは、可動障子操作部１２２ｂ１を有している。可動障子１２０が図４に示すように閉まっており、通気障子１４０が図４に示すように開いている場合、第２の内枠１２２のサイド枠部１２２ｂは立柱１１４に隣接し、第３の内枠１４２のサイド枠部１４２ｂより可動障子操作部１２２ｂ１の少なくとも一部が露出する。これにより、通気障子１４０が開き、可動障子１２０が閉まっている場合、ユーザは可動障子操作部１２２ｂ１に力を加えて、可動障子１２０を開きやすくなる。
【００３３】
図４を参照すると、本実施例において、立柱１１４は、主柱体Ｐ１と構造強化柱体Ｐ２とを含んでいる。主柱体Ｐ１は、相互に連接する複数の側壁１１４ｄ１，１１４ｄ２，１１４ｄ３と、これらの側壁１１４ｄ１，１１４ｄ２，１１４ｄ３によって囲まれる構造強化壁１１４ｅとを含んでいる。構造強化壁１１４ｅの両端は、相対する両側壁１１４ｄ１，１１４ｄ３の内側にそれぞれ連接している。構造強化柱体Ｐ２は、相対する両側壁１１４ｄ１，１１４ｄ３の間に配置され、主柱体Ｐ１内に位置し、構造強化壁１１４ｅに結合している。これにより、内縮部１１４ａを有することに起因した立柱１１４の構造強度低下が避けられる。
【００３４】
本実施例の内縮部１１４ａは、構造強化柱体Ｐ２に形成されている。具体的には、構造強化柱体Ｐ２は、相互に連接する複数の側壁１１４ｃ１，１１４ｃ２，１１４ｃ３と、相互に連接する２つの構造強化壁１１４ｆ１，１１４ｆ２とを含んでいる。２つの構造強化壁１１４ｆ１，１１４ｆ２は両側壁１１４ｃ１，１１４ｃ２の内側にそれぞれ連接し、構造強化壁１１４ｆ２、側壁１１４ｃ２の一部区間及び側壁１１４ｃ３は凹型構造、すなわち内縮部１１４ａを形成する。また、主柱体Ｐ１は開口端１１４ｂを有し、開口端１１４ｂによって内縮部１１４ａを露出させる。これにより、主柱体Ｐ１の開口端１１４ｂを介して内縮部１１４ａに通気障子１４０の一部を収納することができる。本実施例の主柱体Ｐ１及び構造強化柱体Ｐ２は、例えばいずれもアルミ製柱体であり、係合するように相互に組み合わされるが、本発明はこれに限定されない。
【００３５】
以上、実施例により本発明を開示したが、本発明はこれらに限定されない。当業者は、本発明の主旨及び範囲を逸脱しない限り、一部の変更及び修飾を行うことができるため、本発明の保護範囲は請求の範囲で定める内容を基準とする。
【符号の説明】
【００３６】
１００，１００’  障子アセンブリ、１１０  外枠、１１０ａ  排水口、１１０ｂ  可動蓋、１１２  レール構造、１１２ａ  レール部、１１２ｂ  凹み部、１１２ｂ１  上端、１１２ｂ２  下端、１１２ｅ  上面、１１４  立柱、１１４ａ  内縮部、１１４ｂ  開口端、１１４ｃ１，１１４ｃ２，１１４ｃ３，１１４ｄ１，１１４ｄ２，１１４ｄ３  側壁、１１４ｅ，１１４ｆ１，１１４ｆ２  構造強化壁、１２０  可動障子、１２２  第２の内枠、１２２ｂ，１４２ｂ  サイド枠部、１２２ｂ１  可動障子操作部、１２４  第２の光透過板、１２４ａ，１３４ａ  下端、１３０，１３０’  固定障子、１３２  第１の内枠、１３２ａ，１４２ａ  下枠部、１３４  第１の光透過板、１４０  通気障子、１４２  第３の内枠、１４２ｂ１  通気障子操作部、１４２ｃ  固定部、１４４  通気ネット、Ｄ１，Ｄ２  方向、Ｉ  室内環境、Ｏ  室外環境、Ｐ１  主柱体、Ｐ２  構造強化柱体、Ｓ  基準面
【図１】
2019183619.tif 000003
【図２】
2019183619.tif 000004
【図３】
2019183619.tif 000005
【図４】
2019183619.tif 000006